(57)【要約】      （修正有）【課題】ゴルフのスイング矯正用として、既存のゴルフクラブのシャフト部分に、後付け出来る構造を持つスイング練習用グリップを形成するのに便利なグリップ形成用のシート提供する。【解決手段】  ゴルフクラブのシャフト２部分に被覆することによりスイング練習用グリップ３を形成するためのグリップ形成用シートであって、そのグリップ形成用シートは、クラブシャフトの外周面にフィットするような形状と過不足のない柔軟性を有していて、少なくとも１周してシャフトを被覆するような幅を有することを特徴とする。【選択図】図３
0003108923.tif 000002
【実用新案登録請求の範囲】
【請求項１】
ゴルフクラブのシャフト部分に被覆することによりスイング練習用グリップを形成するためのグリップ形成用シートであって、そのグリップ形成用シートは、クラブシャフトの外周面にフィットするような形状と過不足のない柔軟性を有していて、少なくとも１周してシャフトを被覆するような幅を有することを特徴とするゴルフクラブのグリップ形成用シート。
【考案の詳細な説明】
【技術分野】
【０００１】  この考案は、既存ゴルフクラブのシャフト部分に、後付け出来る構造を持つグリップ形成用のシートに関する。
【実用新案文献１】
【非実用新案文献１】
ゴルフ用品カタログ  「スイング欄」  ライト株式会社編
【背景技術】
【０００２】  従来のグリップは、既存ゴルフクラブのシャフト部分に後付け出来ないものである。
【考案の開示】
【考案が解決しようとする課題】
【０００３】  従来のグリップは、既存ゴルフクラブのシャフト部分に後付け出来ないものである。
ダウンスイングを練習するためには、グリップエンドから真下に振り下ろす動作を体得させること、即ちプロゴルファーの言う「ダウンスイングは縦振り」を体得するには、グリップエンドの先に、さらにグリップに相当するような形状の棒が延設されている方がスイングの矯正に良い。
この考案は、以上のような実情に鑑みなされたもので、スイング矯正用のゴルフクラブを作成するために、既存のゴルフクラブのシャフト部分に、スイング練習用のグリップを後付けにより形成するために便利な、グリップ形成用のシート提供することを課題とする。
【課題を解決するための手段】
【０００４】    以上の課題を解決するために本考案は、ゴルフクラブのシャフト部分に被覆することによりスイング練習用グリップを形成するためのグリップ形成用シートであって、そのグリップ形成用シートは、クラブシャフトの外周面にフィットするような形状と過不足のない柔軟性を有していて、少なくとも１周してシャフトを被覆するような幅を有することを特徴とするゴルフクラブのグリップ形成用シートを提供する。
【考案の効果】
【０００５】  本考案によれば、既存のゴルフクラブのシャフト部分の適切なところに、後付けによりスイング練習用のグリップが容易に形成出来る。
【考案を実施するための最良の形態】
【０００６】  この考案の一実施形態を図１に示す。
この考案にかかるグリップは、扇形シート状にしたゴム製のグリップ用シートで、Ｄからシャフトに巻き付けを始め、巻き終わってＢを接着して取り付ける。このシートが扇状を有する理由は、ゴルフのクラブシャフトが、一方が（大抵の場合はクラブヘッド側が）小径であり、他方が大径であるような形状を有するので、そのようなシャフトにフィットさせるためには、扇状に形成するのが好ましいのである。
ここで扇状のシートの幅とは、ＡあるいはＢの長さを意味し、この長さにより、さらにはシートの厚みとあいまってシャフトに巻きつける回数が決定される。
この実施態様に係るシートは、ゴルフクラブのシャフトに複数回にわたり巻きつけて、グリップとしての実際的な太さに整合させる。
次に、他の実施形態を図２に基づいて説明する。
この実施形態では、グリップ用シートが、予めクラブシャフトにフィットするように湾曲させてあり、外形的には円筒状を成す。別の言い方をすれば、円筒状のゴム質の材料に縦方向に切り目アを入れた形状を成す。この形状に実施形態においても、クラブシャフトの形状にフィットするように、過不足のない柔軟性を有し、筒の内面が先細り状の空間となるように形成されているのが望ましい。すなわち、ゴルフクラブのヘッド側の内径が小さく、既存のグリップ側の内径が大きくなるように、シートの肉厚などを調整する。
ここで、この実施態様におけるシートの幅とは、開口端の円周であり、その取り付け位置であるゴルフクラブのシャフトの外周にほぼ匹敵する。
なお、クラブシヤフトに取り付けた後の、ずれを無くすために、接触面積を増やす目的で、鋸歯状に切れ目を入れた接合部分イを設けるとなお良い。この切り目を開いて、グリップ形成用シートでシャフトを被覆すべく、シャフトを横から押し込んで取り付ける。この実施態様に係るシートは、予め実際的なグリップの太さが確保できるような肉厚に形成されていることが望ましい。
グリップの材質はゴム製のものが好ましく、全体の長さ、重さ、硬さなど従来のゴルフクラブに設けてあるグリップ用の材質と同じで良い。【０００７】「実施形態の効果」
この考案にかかるグリップ形成用シートは、既存のゴルフクラブのシャフト部分に後付けして、スイング練習用のグリップを形成することが出来る。
このグリップを後付けしたクラブを使ってスイングの練習をすると、後付して形成したグリップから更に、既存のグリップに至る棒状の延設部分があるのでスイングの矯正に役立つ。
扇状のゴムシートからなるグリップ形成用シートは、特にグリップに容易に、しっかりと巻きつけることができるので便利である。又安価に製造出来る。
予め、シャフトにフィットするように湾曲させて形成したグリップ形成用シートは、ほとんどワンタッチでシャフトにはめ込むことができるので便利である。【０００８】「本考案のグリップを取り付ける位置形態」
本考案に係るグリップ形成用シートは、既存のゴルフクラブのシャフトに後付けして使用するのであるが、グリップ形成用シートを既存のゴルフクラブのシャフト部分２のどの位置にも自由に取り付けることが出来る。
しかし、本考案に係るグリップ形成用シートの取り付けは、既存のグリップの末端から後付けしたスイング練習用のグリップの末端までの長さの合計５が、３０センチから４０センチになるような位置に取り付けることが好ましい。７０センチを超えるとスイング練習の邪魔になる。
【産業上の利用可能性】
【０００＊】
後付け出来るグリップ形成用シートを製造、販売することで産業上実益を得ることができる。個人のゴルフクラブに本考案のグリップ形成用シートを取り付けてスイング練習用のグリップを形成し、スイングの矯正に活用出来る。
【図面の簡単な説明】
【０００９】
【図１】この考案の一実施形態を示す図である。
【図２】この考案の他の実施形態を示す図である。
【図３】この考案のグリップ形成用シートをクラブのシャフトに取り付けた実施状態図である。
【符号の説明】
【００１０】      １  既存グリップ
２  シャフト
３  本考案の後付けにより形成したスイング練習用グリップ
４  ヘッド
５  既存グリップ端末からスイング練習用グリップ端末までの長さの合計
【図４】
この考案のグリップ形成用シートを取り付けたクラブを使用したスイングの練習図である。
【図１】
0003108923.tif 000003
【図２】
0003108923.tif 000004
【図３】
0003108923.tif 000005
【図４】
0003108923.tif 000006
【手続補正書】
【提出日】平成16年10月12日(2004.10.12)
【手続補正１】
【補正対象書類名】実用新案登録請求の範囲
【補正対象項目名】全文
【補正方法】変更
【補正の内容】
【実用新案登録請求の範囲】
【請求項１】
「ゴルフクラブのシャフト部分を被覆することによりスイング練習用グリップを形成するためのグリップ形成用シートであって、そのグリップ形成用シートは、少なくとも１周してシャフトを被覆するにたる幅を有するゴム質のシートで形成されていることを特徴とするゴルフクラブのグリップ形成用シート。」
【手続補正２】
【補正対象書類名】明細書
【補正対象項目名】０００４
【補正方法】変更
【補正の内容】
【０００４】以上の課題を解決するために本考案は、ゴルフクラブのシャフト部分を被覆することによりスイング練習用グリップを形成するためのグリップ形成用シートであって、そのグリップ形成用シートは、少なくとも１周してシャフトを被覆するにたる幅を有するゴム質のシートで形成されていることを特徴とするゴルフのグリップ形成用シートを提供する。
【手続補正３】
【補正対象書類名】明細書
【補正対象項目名】００１０
【補正方法】変更
【補正の内容】
【００１０】
【図１】この考案の一実施形態を示す図である。ゴム質のシートで，Ａ・Ｂ・Ｃ・Ｄは端部を示す。シャフトの傾斜に沿ってＤからシャフトに巻き込み被覆する。
【図２】この考案の他の実施形態を示す図である。ゴム質で外形的には円筒状を成す。アは切り目、イは接合部を示す。接合部を開きシャフトを横から押し込んで被覆する。
【図３】この考案のグリップ形成用シートをクラブのシャフトに取り付けた実施状態図である。１は既存グリップ、２はシャフト、３は本考案のグリップ、４はヘッド、５は既存グリップ端末からスイング練習用グリップ端末までの長さ。
【手続補正４】
【補正対象書類名】図面
【補正対象項目名】図４
【補正方法】削除
【補正の内容】